(57)【特許請求の範囲】
【請求項１】
装置本体に対して着脱自在に設けられるハンドスキャナを備えた画像読取装置において、ハンドスキャナを装置本体に対する排出方向に付勢する付勢手段と、
該付勢手段による付勢に抗してハンドスキャナを装置本体に対する装着状態に保持する保持手段と、
該保持手段による保持を解除する解除手段とを備え、
上記付勢手段は、アースに接続された導電性を有する部材によって構成したことを特徴とする画像読取装置。
【請求項２】
上記付勢手段は、ハンドスキャナと装置本体とを電気的に接続するコネクタの近傍に配置したことを特徴とする請求項１記載の画像読取装置。
【請求項３】
上記保持手段は、突起部を有する回動可能な保持爪と、該保持爪の突起部が係合する係止部を有する案内溝とによって構成する一方、
上記解除手段は、上記保持爪を回動させるレバーによって構成したことを特徴とする請求項１又は２記載の画像読取装置。
【発明の詳細な説明】
【０００１】
【発明の属する技術分野】
本発明は、ハンドスキャナを備えた画像読取装置に関する。
【０００２】
【従来の技術】
従来より、装置本体に対して機械的及び電気的に着脱自在に設けられるハンドスキャナを備えた画像読取装置としては、図８に示すように、装置本体側に、ハンドスキャナの挿入及び排出をガイドするガイド部材１０１と、ハンドスキャナを装置本体に対する装着状態に保持する保持バネ１０２と、ハンドスキャナと装置本体とを電気的に接続するコネクタ１０３と、ハンドスキャナの装置本体に対する装着状態を検知するセンサ１０４とを設ける一方、ハンドスキャナ側に、ガイド部材１０１が嵌入されると共に保持バネ１０２が係合する案内溝１０５を設け、ハンドスキャナを装置本体に対して水平方向に移動させることによって装置本体に対するハンドスキャナの機械的及び電気的な着脱を行う構成としたものや、図９及び図１０に示すように、装置本体側に、ハンドスキャナの挿入及び排出をガイドする第１のガイド部材２０１及びハンドスキャナと装置本体とを電気的に接続するコネクタ２０２を有する装置本体に対して回動可能に設けられたスキャナ保持筺体２０３と、ハンドスキャナの挿入及び排出をガイドすると共にハンドスキャナを装置本体に対する装着状態に保持する第２のガイド部材２０４とを設ける一方、ハンドスキャナ側に、第１及び第２のガイド部材２０１，２０４が嵌入されるＬ字状の案内溝２０５を設け、ハンドスキャナの一部を傾けた状態で水平方向に移動させることによって装置本体に対するハンドスキャナの着脱を行い、装置本体内に挿入した後にハンドスキャナの傾きを解除することによってハンドスキャナと装置本体とを電気的に接続する構成としたものが提案されていた。
【０００３】
【発明が解決しようとする課題】
ところが、上記前者のように、ハンドスキャナを装置本体に対して水平方向に移動させることによって装置本体に対するハンドスキャナの着脱を行う構成としたものでは、ハンドスキャナが装置本体に完全に装着されていない状態であってもその状態が保持バネ１０２によって保持されるため、ハンドスキャナが装置本体に完全に装着されたことを検出するためのセンサ１０４を設ける必要があり、部品点数及び回路規模の増大を招くといった問題点があり、又上記後者のように、ハンドスキャナの一部を傾けた状態で水平方向に移動させることによって装置本体に対するハンドスキャナの着脱を行う構成としたものでは、ハンドスキャナが装置本体に完全に装着されている状態においてハンドスキャナと装置本体とが電気的に接続されるため、ハンドスキャナが装置本体に完全に装着されたことを検出するためのセンサが不要となるが、装置本体とは別体としてハンドスキャナ保持筺体２０２を設ける必要があり、部品点数の増大や組立作業性の劣化を招くと共にハンドスキャナの着脱操作が煩雑になるといった問題点があった。
【０００４】
本発明は、部品点数及び回路規模の増大やハンドスキャナの着脱操作の劣化を招くことなく、ハンドスキャナと装置本体との着脱を行うことができる画像読取装置を提供することを目的とするものである。
【０００５】
【課題を解決するための手段】
本発明は、装置本体に対して着脱自在に設けられるハンドスキャナを備えた画像読取装置において、ハンドスキャナを装置本体に対する排出方向に付勢する付勢手段と、
該付勢手段による付勢に抗してハンドスキャナを装置本体に対する装着状態に保持する保持手段と、
該保持手段による保持を解除する解除手段とを備え、
上記付勢手段は、アースに接続された導電性を有する部材によって構成したことを特徴とする画像読取装置である。
【０００７】
又、本発明は、上記の構成に加え、上記付勢手段を、ハンドスキャナと装置本体とを電気的に接続するコネクタの近傍に配置する構成としたものである。
【０００８】
更に、本発明は、上記の構成に加え、上記保持手段を、突起部を有する回動可能な保持爪と、該保持爪の突起部が係合する係止部を有する案内溝とによって構成する一方、上記解除手段を、上記保持爪を回動させるレバーによって構成したものである。
【０００９】
従って、本発明によれば、ハンドスキャナを付勢手段による付勢に抗して装置本体に対する装着状態にまで挿入することにより、保持手段によってハンドスキャナを装置本体に対する装着状態に保持することができ、ハンドスキャナが装置本体に対して装着状態にあるときに解除手段によって保持手段による保持を解除することにより、付勢手段による付勢力によってハンドスキャナが装置本体に対する排出方向に排出し、ハンドスキャナを装置本体に対する取り外し可能な状態にすることができる。
【００１０】
又、本発明によれば、アースに接続された導電性を有する部材によって付勢手段を構成することにより、ハンドスキャナと装置本体との着脱に伴う静電気の発生を防止することができる。
【００１１】
【発明の実施の形態】
以下、本発明の実施の形態を図面を参照して詳細に説明する。
【００１２】
図１は本発明の画像読取装置の一実施の形態であるファクシミリ装置の外観構成を示す斜視図、図２乃至図４は同ファクシミリ装置の要部構成を示す斜視図、図５は同ファクシミリ装置の要部の構成を示す側面図であり、（ａ）は取り外し状態、（ｂ）は装着状態をそれぞれ示す。図６は同ファクシミリ装置における装置本体の要部構成を示す斜視図、図７は同ファクシミリ装置における装置本体の要部構成を示す側面図である。
【００１３】
以下、本発明の一実施の形態であるファクシミリ装置を図１乃至図７に基づいて説明する。
【００１４】
図１乃至図７において、ハンドスキャナＡには、装置本体Ｂへの挿入面に、装置本体Ｂとの電気的な接続に用いられる凹型コネクタ１及び凹型コネクタ１を囲うように配置されるロ字状の形状を有する導電性金属部２が、装置本体Ｂへの挿入方向に対する両側面に、装置本体Ｂへの挿入面に開口を有する案内溝３が、それぞれ設けられている。
【００１５】
又、案内溝３は、装置本体挿入側から排出側に向かって下方向に傾斜する平行四辺形に形成された挿入部３ａと、挿入部３ａの装置本体排出側上部において上方向に頂点を有する三角形に形成された係止部３ｂと、挿入部３ａの装置本体側上部において排出側に向かう四角形に形成されたガイド部３ｃとを有している。
【００１６】
装置本体Ｂには、ハンドスキャナ収納部Ｃが形成され、その内側両側面に、案内溝３に挿入されるガイド４及び保持爪５が、内側挿入面に、凹型コネクタ１に挿入される凸型コネクタ６及びハンドスキャナＡを排出方向に付勢すると共にその付勢時に導電性金属部２に接触する板バネ７が、それぞれ設けられている。
【００１７】
又、保持爪５は、案内溝３の係止部３ｂに係合する突起５ａを有し、支点５ｂを中心に回動可能に且つ上方向に付勢された状態で取り付けられると共に、その支点５ｂより遠い位置に、解除ボタン８の下側位置に一端が取り付けられたレバー９の他端が取り付けられている。尚、レバー９は、２つの保持爪５のうちの何れか一方にのみ取り付けられるが、２つの保持爪５は図示しない連結機構によって連結され、互いに同期して回動するよう構成されている。
【００１８】
更に、板バネ７は、ハンドスキャナ収納部Ｃに突出する部位がロ字状の形状を有し、少なくも１つが凸型コネクタ６を囲うように配置されると共に、導電性を有する部材によって構成され、ローラシャフト１０及びコイルバネ１１を介してアース線１２に接続されている。
【００１９】
上記のように構成されたファクシミリ装置について、まず、ハンドスキャナＡを装置本体Ｂに装着するときの動作を説明する。
【００２０】
装置本体Ｂから取り外されたハンドスキャナＡを装置本体Ｂに対して水平に挿入すると、まず、ガイド４及び保持爪５が案内溝３の挿入部３ａに挿入され、引き続き挿入すると、案内溝３の挿入部３ａの傾斜に沿って保持爪５が支点５ｂを中心として下方向に回動しながら挿入され、更に引き続き挿入すると、ハンドスキャナＡの挿入面と板バネ７とが接触してハンドスキャナＡを排出方向に付勢する付勢力が付与されるが、その付勢力に抗して引き続き挿入すると、ガイド４が案内溝３のガイド部３ｃに、保持爪５の突起５ａが案内溝３の係止部３ｂに、凸型コネクタ６が凹型コネクタ１に挿入され、装置本体ＢへのハンドスキャナＡの装着が完了する。
【００２１】
一方、凸型コネクタ６が凹型コネクタ１に挿入されている状態であって、保持爪５の突起５ａが案内溝３の係止部３ｂに挿入される前に、ハンドスキャナＡの装置本体Ｂに対する挿入が解除された場合には、板バネ７の付勢力によってハンドスキャナＡが排出方向に移動され、凸型コネクタ６が凹型コネクタ１から脱出され、装置本体ＢへのハンドスキャナＡの装着は完了しない。
【００２２】
次に、ハンドスキャナＡを装置本体Ｂから取り外すときの動作を説明する。
【００２３】
装置本体ＢにハンドスキャナＡが装着された状態において、解除ボタン８を押下すると、その解除ボタン８への押圧力がレバー９を介して保持爪５に伝達され、保持爪５が支点５ｂを中心に下方向に回動する。尚、このとき、レバー９が取り付けられていない他方側の保持爪５も図示しない連結機構の働きによって支点５ｂを中心に下方向に回動する。
【００２４】
そして、保持爪５が支点５ｂを中心に下方向に回動すると、保持爪５の突起５ａと案内溝３の係止部３ｂとの結合が解除され、板バネ７の付勢力によってハンドスキャナＡが排出方向に移動され、凸型コネクタ６が凹型コネクタ１から脱出される。
【００２５】
従って、上記の構成によれば、ハンドスキャナＡを装置本体Ｂに水平に挿入することにより、装置本体ＢへのハンドスキャナＡの装着操作を行うことができると共に、解除ボタン８を押下することにより、装置本体ＢからのハンドスキャナＡの取り外し操作を行うことができ、しかも、ハンドスキャナＡが装置本体Ｂに完全に装着された状態においてのみ凸型コネクタ６が凹型コネクタ１に挿入されることにより、凸型コネクタ６と凹型コネクタ１との接続状況を電気的に確認するだけでハンドスキャナＡと装置本体Ｂとの装着状態を検知することができる。
【００２６】
即ち、ハンドスキャナＡが装置本体Ｂに完全に装着されたことを検出するためのセンサを別途設けることなく、ハンドスキャナＡが装置本体Ｂに完全に装着されたことを検出することができる。
【００２７】
又、上記の構成によれば、凹型コネクタ１に対する凸型コネクタ５の挿脱により、凹型コネクタ１と凸型コネクタ６との間に静電気が発生する場合があるが、この発生した静電気は導電性金属部２、板バネ７、ローラシャフト１０及びコイルバネ１１を介してアース線に流れるため、発生した静電気によって電気回路が破壊されるといったことを防止することができる。
【００２８】
即ち、ハンドスキャナＡを排出するための板バネ７を用いて、コネクタ１と凸型コネクタ６との間に発生する静電気をアース線に流すことができる。
【００２９】
【発明の効果】
以上のように、本発明によれば、ハンドスキャナを装置本体に対する装着状態にまで挿入することによってハンドスキャナを装置本体に対する装着状態に保持し、ハンドスキャナが装置本体に対する装着状態にまで挿入されないときにハンドスキャナを排出することができるため、ハンドスキャナが装置本体に完全に装着されたことを検出するためのセンサや複雑な構成及び煩雑な操作を要することなく、ハンドスキャナを装置本体に対して着脱することができる。
【００３０】
又、本発明によれば、ハンドスキャナが装置本体に対する装着状態にまで挿入されないときにハンドスキャナを排出する部材を、アースに接続された導電性を有する部材によって構成することにより、ハンドスキャナと装置本体との着脱に伴う静電気の発生を防止することができるため、発生した静電気による電気回路の破壊を防止することができる。
【図面の簡単な説明】
【図１】本発明の画像読取装置の一実施の形態であるファクシミリ装置の外観構成を示す斜視図である。
【図２】同ファクシミリ装置の要部構成を示す斜視図である。
【図３】同ファクシミリ装置の要部構成を示す斜視図である。
【図４】同ファクシミリ装置の要部構成を示す斜視図である。
【図５】同ファクシミリ装置の要部の構成を示す側面図であり、（ａ）は取り外し状態、（ｂ）は装着状態をそれぞれ示す。
【図６】同ファクシミリ装置における装置本体の要部構成を示す斜視図である。
【図７】同ファクシミリ装置における装置本体の要部構成を示す側面図である。
【図８】従来例である画像読取装置の要部構成を示す斜視図である。
【図９】従来例である画像読取装置の要部構成を示す斜視図である。
【図１０】従来例である画像読取装置の要部構成を示す側面図である。
【符号の説明】
１    凹型コネクタ
２    導電性金属部
３    案内溝
４    ガイド
５    保持爪
６    凸型コネクタ
７    板バネ
８    解除ボタン
９    レバー
１０    ローラシャフト
１１    コイルバネ
１２    アース線
【図１】
0003603022.tif 000002
【図２】
0003603022.tif 000003
【図３】
0003603022.tif 000004
【図４】
0003603022.tif 000005
【図５】
0003603022.tif 000006
【図６】
0003603022.tif 000007
【図７】
0003603022.tif 000008
【図８】
0003603022.tif 000009
【図９】
0003603022.tif 000010
【図１０】
0003603022.tif 000011